(57)【特許請求の範囲】
【請求項１】
磁気記録媒体に対して互いに異なる速度で処理を行う複数の処理手段を備えて構成される磁気記録媒体処理装置において、
前記複数の処理手段の各処理領域に亘って設けられ、前記複数の処理手段のうちの１つの処理手段の処理速度に応じた一定速度で移動し、前記磁気記録媒体を挟持して搬送する少なくとも一対の搬送ベルトと、
他の処理手段の処理領域に設けられ、外周面の一部が前記磁気記録媒体の搬送通路に面し、前記搬送ベルトの移動方向に直交する軸を中心として前記他の処理手段の処理速度に応じた速度で回転するローラ部と、該ローラ部の外周面上に前記磁気記録媒体が搬送されると、その磁気記録媒体が前記他の処理手段によって前記ローラ部の方向に前記搬送ベルトの挟持力より大きな力で押圧されて前記ローラ部の回転速度で搬送されるように、前記他の処理手段のみを移動させて前記ローラ部に前記磁気記録媒体を押し付けるとともに、前記磁気記録媒体に対する前記他の処理手段による処理が終了すると、前記他の処理手段を元の位置に移動させる押圧力調整部と、を有する搬送手段と、を備えて構成されたことを特徴とする磁気記録媒体処理装置。
【請求項２】
搬送される前記磁気記録媒体の位置を検出する検出手段を備え、
前記押圧力調整部は、前記検出手段の検出結果に応じて前記他の処理手段を移動させることを特徴とする請求項１記載の磁気記録媒体処理装置。
【請求項３】
前記１つの処理手段の処理領域に位置する前記搬送ベルトの挟持力を、前記他の処理手段の処理領域に位置する前記搬送ベルトの挟持力より相対的に大きくする挟持力調整手段を備えて構成されたことを特徴とする請求項１記載の磁気記録媒体処理装置。
【請求項４】
前記搬送ベルト及び前記ローラ部は、単一の駆動モータで発生した駆動力が減速比の異なる減速機構を介してそれぞれ伝達されて駆動されることを特徴とする請求項１記載の磁気記録媒体処理装置。
【請求項５】
前記搬送ベルトは、前記複数の処理手段の各処理速度うちで最速の処理速度に応じた一定速度で移動する構成としたことを特徴とする請求項１〜４のいずれか１つに記載の磁気記録媒体処理装置。
【発明の詳細な説明】
【０００１】
【発明の属する技術分野】
本発明は、磁気記録媒体への情報の書き込みや読み取りなどを行う磁気記録媒体処理装置に関し、特に、磁気記録媒体に対して速度の異なる複数の処理を連続して行う磁気記録媒体処理装置に関する。
【０００２】
【従来の技術】
一般に、磁気記録媒体処理装置としては、例えば、料金精算機、各種ゲート、カード発行機等に備えられた各種のカードリーダ・ライタが知られている。このような磁気記録媒体処理装置では、モータにより駆動される搬送ベルト等の搬送手段で磁気カード等の磁気記録媒体を搬送し、その磁気記録媒体に対して、例えば、磁気情報を書込んだり読取ったりする磁気処理や、文字や記号等を印字する印字処理などが行われる。
【０００３】
上記の磁気処理や印字処理などを連続して行う従来の磁気記録媒体処理装置では、通常、各処理の処理速度が互いに異なるため、例えば、次のようにすることでそれぞれの処理を実現してきた。
（１）搬送手段の構造を各処理毎に分離し、それぞれの処理速度に応じた適正な搬送速度で各処理を行う。
（２）単一の搬送手段の搬送速度を低速から高速まで可変とし、それぞれの処理に適した搬送速度に切り替えて各処理を行う。
（３）搬送手段の搬送速度を処理速度の遅いものに合わせ、同一の速度で各処理を行う。
【０００４】
【発明が解決しようとする課題】
しかしながら、従来の磁気記録媒体処理装置では次のような問題があった。
上記（１）の場合、各処理をそれぞれの適正速度で行うためには、各処理間での磁気記録媒体の受け渡しの際に、磁気記録媒体を搬送手段の受け渡し部分（分離された各構造の間の部分）に完全に取り込む必要があり、即ち、搬送手段の分離された各構造の両方に磁気記録媒体がまたがることが許されないので、各処理間に十分な間隔が必要となる。したがって、長手方向（搬送方向）の装置寸法が長くなるとともに全体の処理時間も長くなってしまう。また、搬送手段を分離構造としているので、駆動モータや搬送部材等の部品点数も多くなる。更に、搬送手段の分離された各構造の駆動状態によっては、各処理間の磁気記録媒体の受け渡しの際に、次の処理に対応した搬送速度を設定する必要が生じることもあって処理時間が長くなってしまう。
【０００５】
また（２）の場合、搬送速度を低速から高速まで可変にするトルクを確保するためには、速度応答性がよくトルク変動の少ない、例えばステッピングモータ等の駆動モータが必要となる。このためモータを制御する回路部品が多くなるとともに駆動モータのサイズも大きくなり、装置全体が大型化してしまう。
更に（３）の場合、搬送手段の構造は簡略なものになるが、搬送速度を処理速度の遅い側に合わせるため、全体の処理時間が長くなってしまう。
【０００６】
本発明は上記の問題点に着目してなされたもので、互いに速度の異なる処理を連続して短い処理時間で行う簡略な構造の磁気記録媒体処理装置を提供することを目的とする。
【０００７】
【課題を解決するための手段】
このため本発明による磁気記録媒体処理装置は、磁気記録媒体に対して互いに異なる速度で処理を行う複数の処理手段を備えて構成される磁気記録媒体処理装置において、前記複数の処理手段の各処理領域に亘って設けられ、前記複数の処理手段のうちの１つの処理手段の処理速度に応じた一定速度で移動し、前記磁気記録媒体を挟持して搬送する少なくとも一対の搬送ベルトを備える。また、この磁気記録媒体処理装置は、他の処理手段の処理領域に設けられ、外周面の一部が前記磁気記録媒体の搬送通路に面し、前記搬送ベルトの移動方向に直交する軸を中心として前記他の処理手段の処理速度に応じた速度で回転するローラ部と、該ローラ部の外周面上に前記磁気記録媒体が搬送されると、その磁気記録媒体が前記他の処理手段によって前記ローラ部の方向に前記搬送ベルトの挟持力より大きな力で押圧されて前記ローラ部の回転速度で搬送されるように、前記他の処理手段のみを移動させて前記ローラ部に前記磁気記録媒体を押し付けるとともに、前記磁気記録媒体に対する前記他の処理手段による処理が終了すると、前記他の処理手段を元の位置に移動させる押圧力調整部と、を有する搬送手段を備えて構成される。
【０００８】
かかる構成によれば、本装置に挿入された磁気記録媒体は、一対の搬送ベルトに挟持されて１つの処理手段の処理速度に応じた速度で搬送される。その１つの処理手段の処理領域では、磁気記録媒体が搬送ベルトに挟持された状態で搬送されて処理が行われる。一方、他の処理手段の処理領域では、他の処理手段の処理速度に応じた速度で回転するローラ部の外周面上に磁気記録媒体が搬送されると、他の処理手段のみが押圧力調整部によってローラ部の方向に移動され、その他の処理手段によって磁気記録媒体がローラ部に搬送ベルトの挟持力よりも大きな力で押圧され、ローラ部とは移動速度が異なる搬送ベルトに対して磁気記録媒体は滑りながらローラ部の回転速度に従って搬送される。これにより、磁気記録媒体の搬送速度が他の処理手段の処理速度に応じた速度に切り替えられて他の処理が行われるようになる。
【０００９】
また、上記磁気記録媒体処理装置については、搬送される前記磁気記録媒体の位置を検出する検出手段を備え、前記押圧力調整部は、前記検出手段の検出結果に応じて前記他の処理手段を移動させるようにしてもよい。かかる構成によれば、本装置内を搬送される磁気記録媒体の位置が検出手段によって検出され、検出された磁気記録媒体の位置に応じて押圧力調整部が押圧部の押圧力を調整するようになる。更に、上記磁気記録媒体処理装置は、前記１つの処理手段の処理領域に位置する前記搬送ベルトの挟持力を、前記他の処理手段の処理領域に位置する前記搬送ベルトの挟持力より相対的に大きくする挟持力調整手段を備えた構成としてもよい。これにより、１つの処理手段の処理領域では、搬送ベルトの挟持力が挟持力調整手段によって他の領域よりも相対的に大きくされるため、磁気記録媒体が搬送ベルトに確実に挟持されて搬送されるようになる。
【００１３】
また、前記搬送ベルト及び前記ローラ部は、単一の駆動モータで発生した駆動力が減速比の異なる減速機構を介してそれぞれ伝達されて駆動されるようにしてもよい。
この構成によって、単一の駆動モータの駆動力によって、互いに異なる速度で、搬送ベルトの移動及びローラ部の回転が駆動されるようになる。
【００１４】
更に、前記搬送ベルトは、前記複数の処理手段の各処理速度うちで最速の処理速度に応じた一定速度で移動する構成としてもよい。
これにより、他の処理手段の処理領域を除く部分では、磁気記録媒体が最も速い速度で搬送され、全体の処理時間が短縮されるようになる。
【００１５】
【発明の実施の形態】
以下、本発明の実施形態を図面に基づいて説明する。
図１は、本実施形態の磁気記録媒体処理装置の要部構成を示す側方断面図である。また、図２は、磁気記録媒体処理装置の上面図である。
図において、本磁気記録媒体処理装置は、磁気記録媒体としての磁気カードＣを装置の長手方向に沿って搬送する搬送部１と、搬送される磁気カードＣに対して磁気情報の書き込み又は読み取りを行う磁気処理部２と、搬送部１のカード挟持力を磁気処理部２付近で大きくする挟持力調整手段としての複数の搬送補助ローラ３と、磁気カードＣに文字や記号等を印字する印字処理部４と、印字処理部４付近で磁気カードＣを搬送する搬送手段としての印字搬送部５と、搬送される磁気カードＣの位置を検出する検出手段としての複数のセンサ６と、から構成される。
【００１６】
搬送部１は、磁気カードＣを挟持して搬送する一対の搬送ベルト１０ＵＲ，１０ＤＲ  及び１０ＵＬ，１０ＤＬ  が搬送通路の左右両側にそれぞれ配置される。搬送通路の上側に位置する搬送ベルト１０ＵＲ，１０ＵＬ  は、進入側端部及び進出側端部に設けられた搬送ローラ１１Ｕｉｎ，１１Ｕｏｕｔに巻架され、これと同様に、搬送通路の下側に位置する搬送ベルト１０ＤＲ，１０ＤＬ  は、搬送ローラ１１Ｄｉｎ，１１Ｄｏｕｔに巻架される。進入側に位置する搬送ローラ１１Ｕｉｎ，１１Ｄｉｎ  は、後述するように駆動モータ１３の駆動力が減速機構１２を介して伝達される。
【００１７】
磁気処理部２は、搬送通路のカード進入側の所定位置に磁気ヘッド２０が設けられ、対向する位置に設けられた磁気ヘッド加圧ローラ２１との間に搬送されてきた磁気カードＣに対して磁気情報の書き込み又は読み取り処理を行う。ここでは、磁気ヘッド２０を搬送通路下側に設けるものとする。磁気ヘッド加圧ローラ２１は、ばねＳの弾性力によって磁気ヘッド２０方向に付勢され、搬送されてきた磁気カードＣを磁気ヘッド２０の頂面に押し付ける。
【００１８】
各搬送補助ローラ３は、磁気ヘッド２０に対して搬送方向の前後の位置にそれぞれ配置され、各搬送ベルトの搬送通路に面する部分に内周面側から当接することで、上下一対の搬送ベルト１０ＵＲ，１０ＤＲ  及び１０ＵＬ，１０ＤＬ  のカード挟持力をそれぞれ大きくしている。
印字処理部４は、搬送通路のカード進出側の所定位置に印字ヘッド４０が設けられ、磁気カードＣに文字や記号等の印字を行う。ここでは、印字ヘッド４０がホルダー４１の一端に取り付けられて搬送通路上側に支持されている。このホルダー４１は、軸４１ａ  を中心に回動可能で他端には上記ばねＳが取り付けられていて、印字ヘッド４０を下方に付勢する。
【００１９】
印字搬送部５は、印字ヘッド４０に対向する搬送通路下側に配置されたローラ部としての印字用プラテンローラ５０と、上記下方に付勢された印字ヘッド４０の上下方向の位置を制御する押圧力調整部としての印字ヘッド押圧ソレノイド５１と、からなる。印字用プラテンローラ５０は、後述するように上記駆動モータ１３の駆動力が駆動伝達ベルト５２及び減速機構５３を介して伝達されて、搬送部１の各搬送ベルトの移動速度より遅い速度で回転する。印字ヘッド押圧ソレノイド５１は、磁気カードＣの位置に応じて印字ヘッド４０の上げ下げを行う。この印字搬送部５によって、印字ヘッド４０付近に搬送された磁気カードＣは、印字ヘッド４０により印字用プラテンローラ５０に押し付けられて印字用プラテンローラ５０の回転速度で搬送される。
【００２０】
複数のセンサ６は、搬送通路に沿った各所に設けられ、搬送される磁気カードＣの検出を行う。なお、図２ではセンサ６の表示を省略してある。したがって、ここでは磁気処理部２及び印字処理部４が互いに異なる速度で処理を行う処理手段として機能する。なお、磁気ヘッド20，磁気ヘッド加圧ローラ21，印字ヘッド40及び印字用プラテンローラ50は、搬送通路左右の搬送ベルト間にそれぞれ配置されており（図２参照）、各搬送ベルトと接触することはない。
【００２１】
ここで、搬送ローラ１１Ｕｉｎ，１１Ｄｉｎ  及び印字用プラテンローラ５０の駆動機構を、図２のＡ−Ａ  断面を示す図３を用いて説明する。
図３において、駆動モータ１３で発生する駆動力は、減速機構１２のギア１２ａ及びギア１２ｂを介して減速されながら搬送ローラ１１Ｕｉｎ  に伝達される。これにより搬送ローラ１１Ｕｉｎ  が磁気処理部２の処理速度に応じた速度で回転するとともに、その回転が搬送ローラ１１Ｄｉｎ  にも伝達される。また、減速機構１２の回転は、駆動伝達ベルト５２を介して減速機構５３に伝えられ、印字処理部５の処理速度に応じた回転速度まで減速されて印字用プラテンローラ５０に伝達される。このようにして単一の駆動モータ１３の駆動力を基に、搬送ローラ１１Ｕｉｎ，１１Ｄｉｎ  及び印字用プラテンローラ５０が異なる速度で回転駆動される。
【００２２】
次に、本実施形態の動作について説明する。
まず、磁気カードＣが本装置に挿入される以前の初期状態では、印字ヘッド押圧ソレノイド５１の作用により印字ヘッド４０が上方に持ち上げられ、印字ヘッド４０と印字用プラテンローラ５０とが加圧接触しない状態が保持される。
そして、磁気カードＣが本装置に挿入され、搬送通路への進入がセンサ６によって検出されると、駆動モータ１３が駆動されてその駆動力が減速機構１２を介して搬送ローラ１１Ｕｉｎ，１１Ｄｉｎ  に伝達され、各搬送ベルトが磁気カードＣを本装置内に引き込む方向に移動を開始する。これにより上下一対の搬送ベルト１０ＵＲ，１０ＤＲ  及び１０ＵＬ，１０ＤＬ  の間に磁気カードＣが挟持され、まず磁気処理部２に向けて搬送される。
【００２３】
磁気処理部２付近では、各搬送補助ローラ３の作用により、それぞれの搬送ベルト１０ＵＲ，１０ＤＲ  及び１０ＵＬ，１０ＤＬ  のカード挟持力が大きくなるため、磁気カードＣは搬送ベルトの移動速度で確実に搬送される。搬送ベルトに挟持された磁気カードＣが磁気ヘッド２０上を磁気ヘッド加圧ローラ２１に加圧されながら通過することで、磁気カードＣに対する磁気情報の書き込み又は読み取り処理が磁気ヘッド２０によって行われる。
【００２４】
磁気処理部２での磁気処理が終了すると、磁気カードＣは各搬送ベルト１０ＵＲ，１０ＤＲ  及び１０ＵＬ，１０ＤＬ  に挟持されたまま、印字処理部４に向けて搬送される。磁気カードＣの先端が印字ヘッド４０の下方を通過して、その前方のセンサ６で検出されると、印字ヘッド押圧ソレノイド５１の制御下で印字ヘッド４０が下方に降ろされる。印字ヘッド４０は、ばねＳの弾性力により下方に付勢されるため、磁気カードＣを印字用プラテンローラ５０に押し付ける。
【００２５】
このとき、搬送ベルト１０ＵＲ，１０ＤＲ  及び１０ＵＬ，１０ＤＬ  のカード挟持力は、印字処理部４付近に搬送補助ローラ３が配置されていないため、磁気処理部２付近での挟持力に比べて小さい。したがって、印字ヘッド４０が磁気カードＣを印字用プラテンローラ５０に押し付ける力を、印字に必要な力を考慮しながら十分に大きくして、磁気カードＣと印字用プラテンローラ５０との間の摩擦力が磁気カードＣと各搬送ベルトとの間の摩擦力よりも大きくなるようにすることで、磁気カードＣが印字用プラテンローラ５０の回転速度で搬送されるようになる。このとき、磁気カードＣの搬送速度が搬送ベルトの移動速度より遅くなるため、磁気カードＣは搬送ベルト１０ＵＲ，１０ＤＲ  及び１０ＵＬ，１０ＤＬ  の間を滑りながら搬送される。これにより、各搬送ベルトの移動速度を変化させることなく印字処理に適した遅い速度で磁気カードＣが搬送され、そのような速度で搬送される磁気カードＣに対して、文字や記号等の印字処理が印字ヘッド４０で行われる。
【００２６】
印字処理部４での印字処理が終了すると、印字ヘッド押圧ソレノイド５１の制御下で印字ヘッド４０が上方に持ち上げられる。これにより磁気カードＣは、印字用プラテンローラ５０に押し付けられた状態から開放され、各搬送ベルト１０ＵＲ，１０ＤＲ  及び１０ＵＬ，１０ＤＬ  に挟持された状態に戻る。したがって、印字処理が終了した直後からは、磁気カードＣは、再び各搬送ベルトの速い移動速度で搬送されるようになり、そして、カードの返却、回収等が行われる。
【００２７】
このように本実施形態によれば、処理速度の速い磁気処理部２では、搬送補助ローラ３により搬送ベルトの挟持力を大きくして、高速移動する搬送ベルトで磁気カードＣを搬送し、処理速度の遅い印字処理部４では、低速回転する印字用プラテンローラ５０に磁気カードＣを押し付けることで、磁気カードＣの搬送を搬送ベルトから印字用プラテンローラ５０に切り替える構成としたことによって、従来装置の搬送手段よりも簡略な構造で処理速度の異なる磁気処理と印字処理とが連続して行われるようになり、部品点数の削減や各処理間の間隔の短縮等が可能となるため、小型で処理時間の短い磁気記録媒体処理装置を提供できる。また、単一の駆動モータ１３の駆動力を基に、搬送ローラ１１Ｕｉｎ，１１Ｄｉｎ  及び印字用プラテンローラ５０が異なる速度で回転駆動されるようにしたことで、搬送駆動系の構造が簡略なものとなり、本装置の一層の小型化を図ることができる。
【００２８】
なお、上述した実施形態では、最初に磁気処理を行った後に印字処理を行う構成としたが、処理の順序を逆にしても構わない。また、本装置で行われる処理は磁気処理及び印字処理に限られるものではなく、処理速度の異なる任意の処理について有効である。更に、上述の実施形態と同様にして３種類以上の処理についても応用可能である。加えて、搬送ベルトの移動速度を処理速度の速い（磁気処理）側に設定したが、処理速度の遅い（印字処理）側に設定しても構わない。ただし、搬送ベルトの移動速度を遅い側に設定すると低速で搬送される距離が長くなり全体の処理時間が長くなるため、搬送ベルトの移動速度は最も速い処理速度に対応させて設定するのが好ましい。
【００２９】
また、上下一対の搬送ベルトを搬送通路の左右両側に設ける構成としたが、本発明はこれに限られるものではなく、例えば、一対の搬送ベルトを搬送通路中央に設けたり、一対の搬送ベルトを搬送通路の左右方向に複数組設けるようにしても構わない。この場合、磁気ヘッド２０，磁気ヘッド加圧ローラ２１，印字ヘッド４０，印字用プラテンローラ５０等には、搬送ベルトと重なる部分に凹部などを設けて互いに接触しない構造とする。
【００３０】
【発明の効果】
以上説明したように、処理速度の異なる複数の処理手段のうちの１つの処理手段の処理領域では、搬送ベルトで磁気記録媒体を搬送し、他の処理手段の処理領域では、押圧力調整部により他の処理手段のみをローラ部の方向に移動させて磁気記録媒体が搬送ベルトの挟持力よりも大きな力でローラ部に押圧されてローラ部の回転速度で搬送されるようにして、磁気記録媒体の搬送を搬送ベルトから搬送手段のローラ部に切り替える構成としたことによって、従来装置の搬送手段よりも簡略な構造で、互いに速度の異なる複数の処理が連続して行われるようになり、部品点数の削減や各処理間の間隔の短縮等が可能となるため、小型で処理時間の短い磁気記録媒体処理装置を提供できる。
【００３１】
また、磁気記録媒体の位置を検出手段で検出し、その検出結果に応じて搬送手段を動作させるようにしたことで、磁気記録媒体の搬送状態の切り替えをより確実に行うことができる。更に、挟持力調整手段を設けたことにより、１つの処理手段の処理領域における搬送ベルトの挟持力が他の処理領域よりも相対的に大きくされるため、１つの処理領域では搬送ベルトによって磁気記録媒体を確実に搬送でき、他の処理領域では磁気記録媒体の搬送を搬送ベルトから搬送手段に確実に切り替えることができる。
【００３２】
加えて、単一の駆動モータの駆動力を基に搬送ベルト及びローラ部が異なる速度で駆動されるようにしたことで、搬送駆動系の構造が簡略なものとなり、本装置の一層の小型化を図ることができる。
【００３３】
また、搬送ベルトの移動速度を最速の処理速度に応じて設定するようにしたことで、他の処理手段の処理領域を除く部分での磁気記録媒体の搬送速度が最も速くなるため、全体の処理時間をより短縮することができる。
【図面の簡単な説明】
【図１】本発明の実施形態の要部構成を示す側方断面図である。
【図２】同上実施形態の要部構成を示す上面図である。
【図３】同上実施形態において図２のＡ−Ａ  断面を示す側方断面図である。
【符号の説明】
１      搬送部
２      磁気処理部
３      搬送補助ローラ
４      印字処理部
５      印字搬送部
６      センサ
Ｃ      磁気カード
１０ＵＲ，１０ＤＲ，１０ＵＬ，１０ＤＬ      搬送ベルト
１１Ｕｉｎ，１１Ｕｏｕｔ，１１Ｄｉｎ，１１Ｄｏｕｔ      搬送ローラ
１２，５３      減速機構
１３      駆動モータ
２０      磁気ヘッド
２１      磁気ヘッド加圧ローラ
４０      印字ヘッド
５０      印字用プラテンローラ
５１      印字ヘッド押圧ソレノイド５１
５２      駆動伝達ベルト
Ｓ      ばね
【図１】
0003629357.tif 000002
【図２】
0003629357.tif 000003
【図３】
0003629357.tif 000004